(57)【要約】      （修正有）【課題】装飾部材の装飾性を損なうことなく、各種の情報を表示することが可能な装飾品を提供する。【解決手段】装飾品１は、キャラクターの立体形状を有する装飾部材１０と、装飾部材１０に取り付けられた吊下用部材２０と、表面にステッカー３１を貼付することが可能な表示板３０と、を備える。そして、表示板３０は、背面側に設けられた連結部を介して装飾部材１０に取り付けられている。【選択図】図１
0003177748.tif 000002
【実用新案登録請求の範囲】
【請求項１】
キャラクターの立体形状を有する装飾部材と、
前記装飾部材に取り付けられた吊下用部材と、
背面側に設けられた連結部を介して前記装飾部材に取り付けられ、表面にステッカーを貼付することが可能な表示板と、を備えることを特徴とする装飾品。
【請求項２】
前記連結部は、柱状に形成され、その一端部が前記表示板の背面に固定され、その他端部が前記装飾部材に固定されていることを特徴とする請求項１に記載の装飾品。
【請求項３】
前記連結部は、前記表示板と一体成型されていることを特徴とする請求項２に記載の装飾品。
【請求項４】
前記装飾部材は、孔部を有し、
前記連結部は、前記他端部が前記装飾部材の前記孔部に挿入された状態で、該装飾部材に固定されていることを特徴とする請求項２又は３に記載の装飾品。
【考案の詳細な説明】
【技術分野】
【０００１】
本考案は、ストラップ、キーホルダー、根付等の装飾品に関し、特に、各種の情報を表示することが可能な装飾品に関する。
【背景技術】
【０００２】
従来、ストラップ、キーホルダー、根付等の装飾品として、例えば、特許文献１に示すストラップが知られている。
特許文献１に記載されたストラップは、装飾を目的とする装飾部材と、装飾部材に取り付けられた手持ち用の紐状部材と、を備えている。
そして、特許文献１に記載されたストラップでは、装飾部材をキャラクターの立体形状とすることによって、装飾性を向上している。
【先行技術文献】
【特許文献】
【０００３】
【特許文献１】特開平１０−２９０４８２号公報
【考案の概要】
【考案が解決しようとする課題】
【０００４】
しかしながら、従来の装飾品では、装飾部材の装飾性を損なうことなく、各種の情報を表示することが困難であった。
すなわち、特許文献１に記載されたストラップでは、各種の情報を表示するためには、情報を記載したステッカーを装飾部材に貼り付け、または、情報を装飾部材に直接記載する必要があり、この場合には、装飾部材の装飾性が損なわれる恐れがある。
本考案の課題は、装飾部材の装飾性を損なうことなく、各種の情報を表示することが可能な装飾品を提供することにある。
【課題を解決するための手段】
【０００５】
上記課題を達成するために、第一の考案に係る装飾品は、キャラクターの立体形状を有する装飾部材と、前記装飾部材に取り付けられた吊下用部材と、背面側に設けられた連結部を介して前記装飾部材に取り付けられ、表面にステッカーを貼付することが可能な表示板と、を備えることを特徴とする。
第一の考案に係る装飾品では、表面にステッカーを貼付することが可能な表示板を備え、この表示板が連結部を介して装飾部材に取り付けられている。これにより、各種の情報を表示板の表面に表示することで、装飾部材の装飾性を損なうことなく、各種の情報を表示することが可能となる。
【０００６】
第二の考案に係る装飾品は、第一の考案に係る装飾品において、前記連結部は、柱状に形成され、その一端部が前記表示板の背面に固定され、その他端部が前記装飾部材に固定されていることを特徴とする。
第二の考案に係る装飾品では、連結部が柱状に形成されていることによって、簡易な構成で表示板を装飾部材に取り付けることが可能となる。
【０００７】
第三の考案に係る装飾品は、第二の考案に係る装飾品において、前記連結部は、前記表示板と一体成型されていることを特徴とする。
第三の考案に係る装飾品によれば、製造コストを抑制することが可能となる。
【０００８】
第四の考案に係る装飾品は、第二又は第三の考案に係る装飾品において、前記装飾部材は、孔部を有し、前記連結部は、前記他端部が前記装飾部材の前記孔部に挿入された状態で、該装飾部材に固定されていることを特徴とする。
第四の考案に係る装飾品によれば、装飾部材に対する表示板の固定をより確実に行うことが可能となる。
【考案の効果】
【０００９】
本考案によれば、装飾部材の装飾性を損なうことなく、各種の情報を表示することが可能となる。
【図面の簡単な説明】
【００１０】
【図１】本考案の実施形態に係る装飾品の正面図である。
【図２】図１に示す装飾品の側面図である。
【図３】図１に示す装飾品が備える装飾部材の正面図である。
【図４】図１に示す装飾品が備える表示板の背面図である。
【図５】図４に示す表示板の側面図である。
【考案を実施するための形態】
【００１１】
以下、本考案の実施形態に係る装飾品１について、図面を参照しながら説明する。
本考案に係る装飾品１は、ストラップ、キーホルダー、根付等の装飾品として構成することができる。
【００１２】
（装飾品１の構成）
図１は、本考案の実施形態に係る装飾品の正面図である。図２は、図１に示す装飾品の側面図である。図３は、図１に示す装飾品が備える装飾部材の正面図である。図４は、図１に示す装飾品が備える表示板の背面図である。図５は、図４に示す表示板の側面図である。なお、図２及び図３では、後述する吊下用部材２０の表示を省略している。
図１及び図２に示す装飾品１は、装飾部材１０と、装飾部材１０に取り付けられた吊下用部材２０及び表示板３０と、を備えている。
装飾部材１０は、樹脂、陶器、ガラス、木材、金属等によって形成され、キャラクターの立体形状を有している。ここで、キャラクターには、人、動物、架空の生き物、植物、食品、アニメのキャラクター等が含まれる。
本実施形態では、装飾部材１０は、ソフトビニール（ポリ塩化ビニル）によって形成された、中空の成形品となっている。ここで、装飾部材１０は、スラッシュ成型等によって形成することができる。
【００１３】
装飾部材１０は、人形の立体形状を有しており、頭部１１及び胴体部１２を備えている。頭部１１及び胴体部１２は、それぞれ、中空状の独立した部材となっている。頭部１１及び胴体部１２は、胴体部１２に設けられた円筒状の関節部（図示せず）を頭部１１に設けられた孔部（図示せず）に嵌合することによって、互いに連結されている。これによって、頭部１１は、胴体部１２に対して回転させることが可能となっている。
図３に示すように、胴体部１２の正面には、後述する連結部３２が挿入される孔部１２ａが設けられている。
【００１４】
図１に示すように、吊下用部材２０は、装飾部材１０の頭部１１に取り付けられている。吊下用部材２０は、紐、チェーン、ワイヤー等によって構成されている。そして、装飾品１は、吊下用部材２０によって、携帯電話、財布、鞄等に吊り下げることが可能となっている。
図２に示すように、表示板３０は、装飾部材１０の胴体部１２に取り付けられている。表示板３０は、樹脂等によって、板状に形成されている。本実施形態では、表示板３０は、略四角形の平板状に形成されている。なお、表示板３０は、円形、星形等の他の形に形成されていても構わず、また、湾曲した板状としても構わない。
【００１５】
表示板３０の表面には、広告、メッセージ、地名、駅名、絵、写真等の各種情報を表示することが可能となっている。本実施形態では、表示板３０の表面には、情報（「ＡＢＣＤＥＦＧ」の文字）が印刷されたステッカー３１が貼付されている。
表示板３０の背面側には、連結部３２が設けられている。図４及び図５に示すように、連結部３２は、表示板３０と一体成型され、表示板３０の背面から後方に向かって突出するように形成されている。連結部３２は、柱状に形成され、その一端部（前端部）が表示板３０の背面に固定され、その他端部（後端部）が装飾部材１０に固定されている。
【００１６】
図５に示すように、連結部３２は、表示板３０の背面から延びる円柱部３２ａと、円柱部３２ａの先端に連続する係止部３２ｂと、を有している。
円柱部３２ａは、略円柱状に形成されている。円柱部３２ａの外径は、基端側（表示板３０側）で最も大きく、基端側から先端側（係止部３２ｂ側）に向かって徐々に小さくなっている。ここで、円柱部３２ａの基端側の部位の外径は、胴体部１２の孔部１２ａの内径より大きくなっている。これによって、円柱部３２ａの略中間部において、その外径が孔部１２ａの内径と一致して、連結部３２を胴体部１２（孔部１２ａ）に固定することが可能となる。
係止部３２ｂは、テーパー形状を有している。係止部３２ｂの外径は、中間部で最も大きく、中間部から基端側（円柱部３２ａ側）及び先端側のそれぞれに向かって徐々に小さくなっている。ここで、係止部３２ｂの先端部の外径は、胴体部１２の孔部１２ａの内径より小さくなっている。また、係止部３２ｂの中間部の外径は、胴体部１２の孔部１２ａの内径より大きくなっている。これによって、孔部１２ａへの係止部３２ｂの挿入を容易としつつ、孔部１２ａ内に挿入された係止部３２ｂが孔部１２ａから抜け出ることを防止可能となる。
【００１７】
表示板３０は、連結部３２を介して、胴体部１２に取り付けられている。この際、連結部３２は、その他端部が胴体部１２の孔部１２ａに挿入された状態で、胴体部１２に固定されている。具体的には、表示板３０を胴体部１２に取り付ける際には、まず、連結部３２の係止部３２ｂを、孔部１２ａを介して胴体部１２内に挿入する。この際、係止部３２ｂの中間部の外径は孔部１２ａの内径より大きくなっているが、胴体部１２がソフトビニールにより形成されることによって、孔部１２ａが弾性変形（拡大）して、係止部３２ｂを孔部１２ａに挿入することができる。
そして、連結部３２の先端部から円柱部３２ａの略中間部までを孔部１２ａに挿入すると、円筒部３２ａの外径が孔部１２ａの内径と一致して、連結部３２が孔部１２ａに固定（嵌合）される。これにより、表示板３０が、胴体部１２に固定される。なお、本実施形態では、円柱部３２ａの略中間部と孔部１２ａとを接着することによって、胴体部１２に対する表示板３０の固定をより確実にしている。
【００１８】
（装飾品１の作用効果）
装飾品１は、吊下用部材２０によって、携帯電話、財布、鞄等に吊り下げることが可能となっている。
そして、装飾品１では、各種情報を表示するステッカーを表示板１０の表面に貼付することによって、装飾部材１０への印刷・ステッカーの貼付等を行うことなく、各種情報を表示することができる。
【００１９】
以上のように、装飾品１では、表面にステッカー３１を貼付することが可能な表示板３０を備え、この表示板３０が連結部３２を介して装飾部材１０に取り付けられている。これにより、装飾部材１０の装飾性を損なうことなく、各種の情報を表示することが可能となる。
特に、装飾品１では、連結部３２が柱状に形成されていることによって、簡易な構成で表示板３０を装飾部材１０に取り付けることが可能となる。
また、装飾品１では、連結部３２が表示板３０と一体成型されていることによって、製造コストを抑制することが可能となる。
さらに、装飾品１では、連結部３２の他端部が装飾部材１０の孔部１２ａに挿入された状態で、連結部３２が装飾部材１０に固定されていることによって、装飾部材１０に対する表示板３０の固定をより確実に行うことが可能となる。
【符号の説明】
【００２０】
１      装飾品
１０    装飾部材
１１    頭部
１２    胴体部
１２ａ  孔部
２０    吊下用部材
３０    表示板
３１    ステッカー
３２    連結部
３２ａ  円柱部
３２ｂ  係止部
【図１】
0003177748.tif 000003
【図２】
0003177748.tif 000004
【図３】
0003177748.tif 000005
【図４】
0003177748.tif 000006
【図５】
0003177748.tif 000007